(57)【特許請求の範囲】
【請求項１】
第２の通信の送信先として本画像出力装置を特定するための情報を、可視光通信によって送信する送信手段と、
携帯情報処理装置から、前記情報にしたがった前記第２の通信によって印刷指示を受信する受信手段と、
予め定められた時間内に前記印刷指示を受信しなかった場合、前記可視光通信の動作を停止させ、印刷指示を受けなかった旨を提示する提示手段
を有する画像出力装置。
【請求項２】
人の所在を検知する検知手段
をさらに有し、
人の所在を検知した場合、前記送信手段は可視光通信を開始する、
請求項１に記載の画像出力装置。
【請求項３】
前記携帯情報処理装置から可視光通信によって、本画像出力装置を特定するための情報の送信指示を受信した場合、前記送信手段は可視光通信を開始する、
請求項１又は２に記載の画像出力装置。
【請求項４】
前記送信手段は、可視光通信によって、本画像出力装置の特性又は状態を送信する、
請求項１から３のいずれか一項に記載の画像出力装置。
【請求項５】
前記印刷指示とともに、可視光通信によって画像出力装置を特定するための情報を受信したことによって前記第２の通信を行っていることを示す情報を受信した場合に、該印刷指示にしたがって印刷するように制御する制御手段
をさらに有する請求項１から４のいずれか一項に記載の画像出力装置。
【請求項６】
前記可視光通信によって送信する場合は、ユーザーが可視光を携帯情報処理装置に当てる動作の示唆を提示する提示手段
をさらに有する請求項１から５のいずれか一項に記載の画像出力装置。
【請求項７】
前記印刷指示とともに、可視光通信によって画像出力装置を特定するための情報を受信したことによって前記第２の通信を行っていることを示す情報を受信した場合に、前記可視光通信の送信を停止し、前記印刷指示とともに、前記第２の通信を行っていることを示す情報を受信しない場合に、前記可視光通信の送信を停止しないように制御する制御手段
をさらに有する請求項１から６のいずれか一項に記載の画像出力装置。
【請求項８】
第２の通信の送信先として画像出力装置を特定するための情報を、可視光通信によって受信する第１の受信手段と、
前記情報にしたがって、前記第２の通信によって印刷指示を前記画像出力装置に送信する第１の送信手段
を有する携帯情報処理装置と、
第２の通信の送信先として本画像出力装置を特定するための情報を、可視光通信によって送信する第２の送信手段と、
携帯情報処理装置から、前記情報にしたがった前記第２の通信によって印刷指示を受信する第２の受信手段と、
予め定められた時間内に前記印刷指示を受信しなかった場合、前記可視光通信の動作を停止させ、印刷指示を受けなかった旨を提示する提示手段
を有する画像出力装置
を具備する画像出力システム。
【請求項９】
前記第１の送信手段は、
前記印刷指示の送信先である前記画像出力装置を選択する操作を受け付けることなく、該印刷指示を前記画像出力装置に送信する、
請求項８に記載の画像出力システム。
【請求項１０】
前記第１の受信手段は、前記情報を受信した場合は、可視光通信の受信を停止する、
請求項８又は９に記載の画像出力システム。
【請求項１１】
前記第２の送信手段は、可視光通信によって、前記画像出力装置の特性又は状態を送信し、
前記携帯情報処理装置は、
前記第１の受信手段が、可視光通信によって、前記画像出力装置から該画像出力装置の特性又は状態を受信した場合、該特性又は状態にしたがって、前記印刷指示を生成する生成手段
をさらに有し、
前記第１の送信手段は、前記生成手段によって生成された前記印刷指示を送信する、
請求項８から１０のいずれか一項に記載の画像出力システム。
【請求項１２】
前記第１の送信手段は、可視光通信によって前記画像出力装置を特定するための情報を受信したことによって前記第２の通信を行っていることを示す情報を前記印刷指示とともに送信する、
請求項８から１１のいずれか一項に記載の画像出力システム。
【請求項１３】
前記携帯情報処理装置は、
前記可視光通信によって画像出力装置を特定するための情報を受信している場合は、ユーザーが可視光を携帯情報処理装置に当てる動作の示唆を提示する提示手段
をさらに有する請求項８から１２のいずれか一項に記載の画像出力システム。
【請求項１４】
前記携帯情報処理装置は、
前記第１の送信手段による送信の後に、前記第１の受信手段によって受信した画像出力装置を特定するための情報を削除する削除手段
をさらに有する請求項８から１３のいずれか一項に記載の画像出力システム。
【請求項１５】
前記第１の送信手段は、可視光通信によって前記画像出力装置を特定するための情報を受信したことによって前記第２の通信を行っていることを示す情報を前記印刷指示とともに送信する、
請求項８から１４のいずれか一項に記載の画像出力システム。
【請求項１６】
送信手段と提示手段とを有する画像出力装置に含まれているコンピュータに、
第２の通信の送信先として本画像出力装置を特定するための情報を、前記送信手段から可視光通信によって送信させることと、
携帯情報処理装置から、前記情報にしたがった前記第２の通信によって印刷指示を受信することと、
予め定められた時間内に前記印刷指示を受信しなかった場合、前記可視光通信の動作を停止させ、前記提示手段に印刷指示を受けなかった旨を提示させること
を実行させるための画像処理プログラム。
【発明の詳細な説明】
【技術分野】
【０００１】
本発明は、画像出力装置、画像出力システム及び画像処理プログラムに関する。
【背景技術】
【０００２】
特許文献１には、印刷出力先の画像形成装置として複数の候補がある場合において、印刷出力先としてユーザーが所望する画像形成装置と、実際に印刷出力が行われる画像形成装置との対応付けを容易に行うことができる画像形成装置、携帯端末装置、情報処理装置、画像形成システム及びプログラムを提供することを課題とし、画像形成装置は、ＵＩ装置と、印刷装置と、ＵＩ装置に認証情報を表示するよう制御する表示制御部と、ＵＩ装置に表示された認証情報と、予め定められた範囲内に存在する携帯端末装置が取得した取得情報とが予め定められた関係を満たした場合に、受信した画像データを前記印刷手段により印刷するよう制御する印刷制御部とを有することが開示されている。
【０００３】
特許文献２には、消費電力が低く、かつ、利便性が高い画像形成システムを提供することを課題とし、携帯端末は、アプリを起動し、ＭＦＰの発光部からの可視光をカメラで受光してＭＦＰのステータス情報を得ることで、拡張現実表示を行うことができ、ＭＦＰの動作モードが省電力モードに移行した場合において、携帯端末でアプリが起動されると、アプリは、携帯端末の情報取得部の機能を利用し、情報取得部は、構内情報通信網などのネットワークを介して、ＭＦＰに対して発光通信開始依頼を送信し、ＭＦＰでは、可視光通信についての制御を行う送信制御部が、発光通信開始依頼に応じて、発光部を点灯させ、携帯端末との間で可視光通信を実行させることが開示されている。
【０００４】
特許文献３には、スキャナユニットを用いて、物理的に接続することなく、データの設定を行うことが可能なデータ設定システムを提供することを課題とし、複合機が、画像読取部を用いて外部の光信号を受信する光通信受信手段と、前記受信された光信号に対応するデータの設定を実行する光通信実行手段とを備え、通信端末装置が、光照射部を用いてデータの設定に対応する光信号を発信する光通信発信手段を備えることが開示されている。
【０００５】
特許文献４には、通信機器周辺に照射される照明光の光量が変化する環境下でも、複雑な回路や高価な部品を設けることなく、可視光通信を行うことができる可視光通信装置、及びこの装置を備えた画像形成装置を提供することを課題とし、可視光通信装置は、商用交流電源の電圧がゼロであるゼロクロス点の位相を検出するゼロクロス検出部と、ゼロクロス検出部が検出するゼロクロス点に光量が同期し、可視光又はその周辺スペクトル光を用いて通信する可視光通信部と、を備え、画像形成装置は、前記可視光通信装置と、可視光通信装置が他の装置と通信するデータに基づいて画像を形成する画像形成部と、を備えていることが開示されている。
【０００６】
特許文献５には、通信機器同士の通信の安全性を簡単かつ迅速に確保することを課題とし、デジタルカメラの通信設定情報生成部は、第２ＤＳＣ側通信部と第２プリンタ側通信部との通信の成立に必要な通信設定情報を生成し、デジタルカメラの第１ＤＳＣ側通信部は、生成された通信設定情報を、プリンタに送信し、プリンタの第１プリンタ側通信部は、第１ＤＳＣ側通信部の送信した通信設定情報を受信し、プリンタの通信設定部は、第１プリンタ側通信部の受信した通信設定情報に基づき、第２ＤＳＣ側通信部との通信成立に必要な情報を第２プリンタ側通信部に設定し、デジタルカメラの第２ＤＳＣ側通信部とプリンタの第２プリンタ側通信部とは、共通の通信設定情報によって通信を成立させることが開示されている。
【先行技術文献】
【特許文献】
【０００７】
【特許文献１】特開２０１４−１８０７９２号公報
【特許文献２】特開２０１４−１５０４７４号公報
【特許文献３】特開２０１５−１２６５０４号公報
【特許文献４】特開２０１４−００７６２４号公報
【特許文献５】特開２００７−１８９３４８号公報
【発明の概要】
【発明が解決しようとする課題】
【０００８】
携帯情報処理装置から印刷指示を行って、画像出力装置で印刷を行うことが行われている。
しかし、可視光通信によって、画像出力装置を特定するための情報を通信することは行われていない。
本発明は、可視光通信によって、画像出力装置を特定するための情報を、携帯情報処理装置に送信するようにした画像出力装置を提供することを目的としている。
【課題を解決するための手段】
【０００９】
かかる目的を達成するための本発明の要旨とするところは、次の各項の発明に存する。
請求項１の発明は、第２の通信の送信先として本画像出力装置を特定するための情報を、可視光通信によって送信する送信手段と、携帯情報処理装置から、前記情報にしたがった前記第２の通信によって印刷指示を受信する受信手段と、予め定められた時間内に前記印刷指示を受信しなかった場合、前記可視光通信の動作を停止させ、印刷指示を受けなかった旨を提示する提示手段を有する画像出力装置である。
【００１０】
請求項２の発明は、人の所在を検知する検知手段をさらに有し、人の所在を検知した場合、前記送信手段は可視光通信を開始する、請求項１に記載の画像出力装置である。
【００１１】
請求項３の発明は、前記携帯情報処理装置から可視光通信によって、本画像出力装置を特定するための情報の送信指示を受信した場合、前記送信手段は可視光通信を開始する、請求項１又は２に記載の画像出力装置である。
【００１２】
請求項４の発明は、前記送信手段は、可視光通信によって、本画像出力装置の特性又は状態を送信する、請求項１から３のいずれか一項に記載の画像出力装置である。
【００１３】
請求項５の発明は、前記印刷指示とともに、可視光通信によって画像出力装置を特定するための情報を受信したことによって前記第２の通信を行っていることを示す情報を受信した場合に、該印刷指示にしたがって印刷するように制御する制御手段をさらに有する請求項１から４のいずれか一項に記載の画像出力装置である。
【００１４】
請求項６の発明は、前記可視光通信によって送信する場合は、ユーザーが可視光を携帯情報処理装置に当てる動作の示唆を提示する提示手段をさらに有する請求項１から５のいずれか一項に記載の画像出力装置である。
【００１５】
請求項７の発明は、前記印刷指示とともに、可視光通信によって画像出力装置を特定するための情報を受信したことによって前記第２の通信を行っていることを示す情報を受信した場合に、前記可視光通信の送信を停止し、前記印刷指示とともに、前記第２の通信を行っていることを示す情報を受信しない場合に、前記可視光通信の送信を停止しないように制御する制御手段をさらに有する請求項１から６のいずれか一項に記載の画像出力装置である。
【００１６】
請求項８の発明は、第２の通信の送信先として画像出力装置を特定するための情報を、可視光通信によって受信する第１の受信手段と、前記情報にしたがって、前記第２の通信によって印刷指示を前記画像出力装置に送信する第１の送信手段を有する携帯情報処理装置と、第２の通信の送信先として本画像出力装置を特定するための情報を、可視光通信によって送信する第２の送信手段と、携帯情報処理装置から、前記情報にしたがった前記第２の通信によって印刷指示を受信する第２の受信手段と、予め定められた時間内に前記印刷指示を受信しなかった場合、前記可視光通信の動作を停止させ、印刷指示を受けなかった旨を提示する提示手段を有する画像出力装置を具備する画像出力システムである。
【００１７】
請求項９の発明は、前記第１の送信手段は、前記印刷指示の送信先である前記画像出力装置を選択する操作を受け付けることなく、該印刷指示を前記画像出力装置に送信する、請求項８に記載の画像出力システムである。
【００１８】
請求項１０の発明は、前記第１の受信手段は、前記情報を受信した場合は、可視光通信の受信を停止する、請求項８又は９に記載の画像出力システムである。
【００１９】
請求項１１の発明は、前記第２の送信手段は、可視光通信によって、前記画像出力装置の特性又は状態を送信し、前記携帯情報処理装置は、前記第１の受信手段が、可視光通信によって、前記画像出力装置から該画像出力装置の特性又は状態を受信した場合、該特性又は状態にしたがって、前記印刷指示を生成する生成手段をさらに有し、前記第１の送信手段は、前記生成手段によって生成された前記印刷指示を送信する、請求項８から１０のいずれか一項に記載の画像出力システムである。
【００２０】
請求項１２の発明は、前記第１の送信手段は、可視光通信によって前記画像出力装置を特定するための情報を受信したことによって前記第２の通信を行っていることを示す情報を前記印刷指示とともに送信する、請求項８から１１のいずれか一項に記載の画像出力システムである。
【００２１】
請求項１３の発明は、前記携帯情報処理装置は、前記可視光通信によって画像出力装置を特定するための情報を受信している場合は、ユーザーが可視光を携帯情報処理装置に当てる動作の示唆を提示する提示手段をさらに有する請求項８から１２のいずれか一項に記載の画像出力システムである。
【００２２】
請求項１４の発明は、前記携帯情報処理装置は、前記第１の送信手段による送信の後に、前記第１の受信手段によって受信した画像出力装置を特定するための情報を削除する削除手段をさらに有する請求項８から１３のいずれか一項に記載の画像出力システムである。
【００２３】
請求項１５の発明は、前記第１の送信手段は、可視光通信によって前記画像出力装置を特定するための情報を受信したことによって前記第２の通信を行っていることを示す情報を前記印刷指示とともに送信する、請求項８から１４のいずれか一項に記載の画像出力システムである。
【００２４】
請求項１６の発明は、送信手段と提示手段とを有する画像出力装置に含まれているコンピュータに、第２の通信の送信先として本画像出力装置を特定するための情報を、前記送信手段から可視光通信によって送信させることと、携帯情報処理装置から、前記情報にしたがった前記第２の通信によって印刷指示を受信することと、予め定められた時間内に前記印刷指示を受信しなかった場合、前記可視光通信の動作を停止させ、前記提示手段に印刷指示を受けなかった旨を提示させることを実行させるための画像処理プログラムである。
【発明の効果】
【００２５】
請求項１の画像出力装置によれば、可視光通信によって、本画像出力装置と通信を行うための画像出力装置を特定するための情報を送信することができる。
【００２６】
請求項２の画像出力装置によれば、人の所在を検知した場合、可視光通信を開始することができる。
【００２７】
請求項３の画像出力装置によれば、携帯情報処理装置から可視光通信によって、本画像出力装置を特定するための情報の送信指示を受信した場合、可視光通信を開始することができる。
【００２８】
請求項４の画像出力装置によれば、可視光通信によって、本画像出力装置の特性又は状態を送信することができる。
【００２９】
請求項５の画像出力装置によれば、印刷指示とともに、可視光通信によって画像出力装置を特定するための情報を受信したことによって通信を行っていることを示す情報を受信した場合に、その印刷指示にしたがって印刷するように制御することができる。
【００３０】
請求項６の画像出力装置によれば、可視光通信によって送信する際に、ユーザーは実施すべき動作がわかりやすくなる。
【００３１】
請求項７の画像出力装置によれば、印刷指示とともに、可視光通信によって画像出力装置を特定するための情報を受信したことによって通信を行っていることを示す情報を受信した場合に、可視光通信の送信を停止し、印刷指示とともに、通信を行っていることを示す情報を受信しない場合に、可視光通信の送信を停止しないように制御することができる。
【００３２】
請求項８の画像出力システムによれば、可視光通信によって、画像出力装置を特定するための情報を送受信することができる。
【００３３】
請求項９の画像出力システムによれば、画像出力装置を選択する操作を受け付けることなく、印刷指示を画像出力装置に送信することができる。
【００３４】
請求項１０の画像出力システムによれば、情報を受信した場合は、可視光通信の受信を停止することができる。
【００３５】
請求項１１の画像出力システムによれば、画像出力装置の特性又は状態にしたがって、印刷指示を生成することができる。
【００３６】
請求項１２の画像出力システムによれば、可視光通信によって画像出力装置を特定するための情報を受信したことによって通信を行っていることを示す情報を印刷指示とともに送信することができる。
【００３７】
請求項１３の画像出力システムによれば、可視光通信によって画像出力装置を特定するための情報を受信する際に、ユーザーは実施すべき動作がわかりやすくなる。
【００３８】
請求項１４の画像出力システムによれば、第１の送信手段による送信の後に、第１の受信手段によって受信した画像出力装置を特定するための情報を削除することができる。
【００３９】
請求項１５の画像出力システムによれば、第１の送信手段は、可視光通信によって画像出力装置を特定するための情報を受信したことによって通信を行っていることを示す情報を印刷指示とともに送信することができる。
【００４０】
請求項１６の画像処理プログラムによれば、可視光通信によって、画像出力装置と通信を行うための画像出力装置を特定するための情報を送信することができる。
【図面の簡単な説明】
【００４１】
【図１】本実施の形態の構成例についての概念的なモジュール構成図である。
【図２】本実施の形態を利用したシステム構成例を示す説明図である。
【図３】本実施の形態による処理例を示すフローチャートである。
【図４】本実施の形態による処理例を示すフローチャートである。
【図５】本実施の形態による処理例を示すフローチャートである。
【図６】本実施の形態による処理例を示す説明図である。
【図７】本実施の形態による処理例を示す説明図である。
【図８】本実施の形態による処理例を示す説明図である。
【図９】本実施の形態による処理例を示す説明図である。
【図１０】本実施の形態による処理例を示す説明図である。
【図１１】本実施の形態による処理例を示す説明図である。
【図１２】本実施の形態による処理例を示す説明図である。
【図１３】本実施の形態による処理例を示す説明図である。
【図１４】本実施の形態による処理例を示す説明図である。
【図１５】本実施の形態による処理例を示すフローチャートである。
【図１６】本実施の形態による処理例を示すフローチャートである。
【図１７】本実施の形態による処理例を示すフローチャートである。
【図１８】本実施の形態による処理例を示すフローチャートである。
【図１９】本実施の形態による処理例を示すフローチャートである。
【図２０】本実施の形態による処理例を示すフローチャートである。
【図２１】本実施の形態による処理例を示すフローチャートである。
【図２２】本実施の形態による処理例を示すフローチャートである。
【図２３】本実施の形態を実現するコンピュータのハードウェア構成例を示すブロック図である。
【発明を実施するための形態】
【００４２】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という意味を有する記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００４３】
本実施の形態は、携帯端末１００と印刷装置１５０によって構成されている。携帯端末１００は、印刷装置１５０に対して印刷指示（印刷ジョブ、プリントジョブともいわれる）を行うものであって、印刷装置１５０は、携帯端末１００から印刷指示を受け取って、印刷を行うものである。例えば、印刷装置１５０を臨時に利用しなければならない場面（出張先等の印刷装置１５０を１回だけ利用するような場合等）では、携帯端末１００と印刷装置１５０間の通信を行うための設定を行うのは、煩わしいことである。本実施の形態によれば、このような場合でも、ユーザーによる操作での通信設定（少なくとも印刷指示の送信先である印刷装置１５０の選択操作）をすることなく、ユーザーの携帯端末１００から印刷指示を行い、印刷装置１５０で印刷をすることができるようになる。
【００４４】
携帯端末１００と印刷装置１５０間の通信（特に、印刷装置１５０から携帯端末１００への通信）として、可視光通信を用いる。
可視光通信とは、ＬＥＤ（Ｌｉｇｈｔ  Ｅｍｉｔｔｉｎｇ  Ｄｉｏｄｅ）などが発光する可視光の強度を変化させて変調させることによる通信をいう。例えば、標準規格として、以下のものがある。
・ＪＥＩＴＡ  ＣＰ−１２２１／１２２２／１２２３（電子情報技術産業協会）
片方向４．８ｋｂｐｓの主に照明光通信用である。
ＪＥＩＴＡ  ＣＰ−１２２１  可視光通信システム  ２００７年３月
ｈｔｔｐ：／／ｗｗｗ．ｊｅｉｔａ．ｏｒ．ｊｐ／ｊａｐａｎｅｓｅ／ｓｔａｎｄａｒｄ／ｂｏｏｋ／ＣＰ−１２２１
ＪＥＩＴＡ  ＣＰ−１２２２  可視光ＩＤシステム  ２００７年６月
ｈｔｔｐ：／／ｗｗｗ．ｊｅｉｔａ．ｏｒ．ｊｐ／ｊａｐａｎｅｓｅ／ｓｔａｎｄａｒｄ／ｂｏｏｋ／ＣＰ−１２２２
ＪＥＩＴＡ  ＣＰ−１２２３  可視光ビーコンシステム  ２０１３年５月
ｈｔｔｐ：／／ｗｗｗ．ｊｅｉｔａ．ｏｒ．ｊｐ／ｊａｐａｎｅｓｅ／ｓｔａｎｄａｒｄ／ｂｏｏｋ／ＣＰ−１２２３
可視光源から、簡単な情報やその可視光源に固有なＩＤ情報を放射送信させることで、ものの識別、位置情報の提供、各種案内システムの構築など様々な応用を図るものである。
・ＡＲＩＢ  ＳＴＤ−Ｔ５０  ４．０版（電波産業会）２００９年１２月
下り可視光、上り赤外を用いた光ＬＡＮ（赤外光ＬＡＮの可視光拡張）である。
ｈｔｔｐ：／／ｗｗｗ．ａｒｉｂ．ｏｒ．ｊｐ／ｅｎｇｌｉｓｈ／ｈｔｍｌ／ｏｖｅｒｖｉｅｗ／ｄｏｃ／１−ＳＴＤ−Ｔ５０ｖ４＿０．ｐｄｆ
・ＩｒＤＡ「可視光通信標準規格」１．０版（可視光通信コンソーシアムとＩｒＤＡの共同）  ２００９年２月
ＩｒＤＡの可視光通信拡張、互換性確保規格である。
・ＩＥＥＥ  ８０２．１５．７  （２００９年１月）
規格リリース済みの可視光通信規格である。
・ＩＥＥＥ  ８０２．１５．ＳＧ７ａ
イメージセンサーを使った可視光通信規格である。
【００４５】
印刷装置１５０から可視光通信用の発光を行い、光を当てた携帯端末１００に対し、印刷装置１５０と通信を行うためのその印刷装置１５０を特定するための情報を送信する。ここで「印刷装置１５０と通信を行うため」における「通信」とは、通信先を特定するための情報が必要な通信であって、可視光通信以外の通信をいう。例えば、ＷｉＦｉ（Ｗｉｒｅｌｅｓｓ  Ｆｉｄｅｌｉｔｙ）、近距離無線通信のブルートゥース（Ｂｌｕｅｔｏｏｔｈ（登録商標））等の無線通信であってもよい。また「印刷装置１５０を特定するための情報」とは、通信の相手先を特定する（ペアリング等）ための情報であって、一般的には、機器の名称、アドレス等といわれるものであって、具体的には、ＩＰ（Ｉｎｔｅｒｎｅｔ  Ｐｒｏｔｏｃｏｌ）アドレス、ＭＡＣアドレス（Ｍｅｄｉａ  Ａｃｃｅｓｓ  Ｃｏｎｔｒｏｌ  ａｄｄｒｅｓｓ）、メールアドレス、端末名等が該当する。
そして、携帯端末１００は、可視光通信によって、印刷装置１５０からその情報（印刷装置１５０と通信を行うための印刷装置１５０を特定するための情報）を受信する。
次に、携帯端末１００は、その情報にしたがって、通信（その情報で設定される通信であって、可視光通信以外の通信）の設定を行い、その通信を用いて印刷指示を印刷装置１５０に送信する。
そして、印刷装置１５０は、携帯端末１００からその通信によって印刷指示を受信し、その印刷指示にしたがった印刷を行う。
なお、この一連の処理において、携帯端末１００で、印刷指示の送信先を選択する操作を入力する必要はない。
【００４６】
携帯端末１００は、図１の例に示すように、可視光通信モジュール１０５、通信モジュール１１０、通信制御モジュール１１５、ユーザーインタフェースモジュール１２０、ファイル記憶モジュール１２５を有している。携帯端末１００は、一般的にモバイル端末ともいわれ、例えば、携帯電話（スマートフォンを含む）、ノートＰＣ（Ｐｅｒｓｏｎａｌ  Ｃｏｍｐｕｔｅｒ）、ウェアラブル端末（例えば、腕時計型端末、メガネ型端末等）等が該当する。可視光通信（少なくとも送信用の可視光通信）ができるものであり、ユーザーの操作にしたがって印刷指示を印刷装置１５０に送信するものである。
【００４７】
可視光通信モジュール１０５は、通信制御モジュール１１５と接続されている。可視光通信モジュール１０５は、可視光通信（可視光通信用の受光、発光）を行う。可視光通信モジュール１０５は、可視光通信によって、印刷装置１５０と通信を行うためのその印刷装置１５０を特定するための情報を受信する。その情報を通信制御モジュール１１５に渡す。
また、可視光通信モジュール１０５は、携帯端末１００が有しているカメラと同じ向きに設置されていてもよい。この場合、カメラで撮影した画像をユーザーインタフェースモジュール１２０のディスプレイに表示させることによって、ユーザーが可視光通信の送信先（印刷装置１５０）を確認できるようにしてもよい。
通信モジュール１１０は、通信制御モジュール１１５と接続されている。通信モジュール１１０は、印刷装置１５０との間で通信（可視光通信以外の通信）を行う。通信モジュール１１０は、通信制御モジュール１１５による制御によって、可視光通信モジュール１０５が受信した情報にしたがって、通信によって印刷指示を印刷装置１５０に送信する。
【００４８】
通信制御モジュール１１５は、可視光通信モジュール１０５、通信モジュール１１０、ユーザーインタフェースモジュール１２０、ファイル記憶モジュール１２５と接続されている。通信制御モジュール１１５は、可視光通信モジュール１０５を介して、可視光通信によって、印刷装置１５０と通信を行うためのその印刷装置１５０を特定するための情報を受信する。そして、その情報にしたがって、通信によって印刷指示を印刷装置１５０に送信するように通信モジュール１１０を制御する。可視光通信を用いることによって、ユーザーにとって、発信源（印刷装置１５０等）、受信先（携帯端末１００等）、通信経路が目に見えるので、通信範囲がわかりやすい。
また、通信制御モジュール１１５は、通信モジュール１１０を制御して、印刷指示の送信先である印刷装置１５０を選択するユーザーの操作入力を受け付けることなく、その印刷指示を印刷装置１５０に送信するようにしてもよい。
【００４９】
また、通信制御モジュール１１５は、可視光通信モジュール１０５を制御して、印刷装置１５０を特定するための情報の送信指示を送信してもよい。ここで、「印刷装置１５０を特定するための情報の送信指示」は、携帯端末１００が印刷装置１５０との通信を開始するために必要な情報を要求する指示である。
また、通信制御モジュール１１５は、可視光通信モジュール１０５を制御して、「印刷装置１５０を特定するための情報」を受信した場合は、可視光通信の受信を停止するようにしてもよい。「印刷装置１５０を特定するための情報」の余分な受信を停止するためである。
また、通信制御モジュール１１５は、可視光通信モジュール１０５が、可視光通信によって、印刷装置１５０から印刷装置１５０の特性又は状態を受信した場合、その特性又は状態にしたがって、印刷指示を生成するようにしてもよい。そして、通信制御モジュール１１５は、通信モジュール１１０を制御して、その生成した印刷指示を送信するようにしてもよい。
また、通信制御モジュール１１５は、通信モジュール１１０を制御して、「可視光通信によって印刷装置１５０を特定するための情報を受信したことによって通信を行っていることを示す情報」を印刷指示とともに、印刷装置１５０に送信するようにしてもよい。
【００５０】
ユーザーインタフェースモジュール１２０は、通信制御モジュール１１５、ファイル記憶モジュール１２５と接続されている。ユーザーインタフェースモジュール１２０は、タッチスクリーン、音声、視線、ジェスチャ、マウス、キーボード等を用いたユーザーの操作を受け付ける。ユーザーの操作として、印刷指示等がある。また、ユーザーインタフェースモジュール１２０は、液晶ディスプレイ、スピーカー、振動装置等によって、情報をユーザーに知らせる。また、ユーザーインタフェースモジュール１２０は、印刷装置１５０から印刷指示を受信した旨を示す情報を受信した場合は、その旨の提示を行うようにしてもよい。その提示を受けたユーザーは、可視光通信を中止する操作（可視光通信の受光の停止、可視光通信の光を携帯端末１００の可視光センサー（受光センサー）からはずすこと等）を行うこととなる。
また、ユーザーインタフェースモジュール１２０は、可視光通信によって「印刷装置１５０を特定するための情報」を受信している場合は、ユーザーが可視光を携帯端末１００に当てる動作（動作を続けることを含む）の示唆を提示するようにしてもよい。可視光通信によって印刷装置１５０を特定するための情報を受信する際に、ユーザーは実施すべき動作がわかりやすくなる。
ファイル記憶モジュール１２５は、通信制御モジュール１１５、ユーザーインタフェースモジュール１２０と接続されている。ファイル記憶モジュール１２５は、印刷対象となるファイルを記憶している。通信制御モジュール１１５は、印刷指示として、印刷対象であるファイルを含めてもよい。
【００５１】
印刷装置１５０は、図１の例に示すように、可視光通信モジュール１５５、通信モジュール１６０、通信制御モジュール１６５、ユーザーインタフェースモジュール１７０、印刷制御モジュール１７５、ファイル記憶モジュール１８０、印刷モジュール１８５を有している。印刷装置１５０は、一般的に、プリンタ、プリンタ機能を有する複合機（スキャナ、プリンタ、複写機、ファックス等のいずれか２つ以上の機能を有している画像処理装置）等が該当する。
【００５２】
可視光通信モジュール１５５は、通信制御モジュール１６５と接続されている。可視光通信モジュール１５５は、携帯端末１００との間で、可視光通信（可視光通信用の受光、発光）を行う。可視光通信モジュール１５５は、可視光通信によって、印刷装置１５０と通信を行うための印刷装置１５０を特定するための情報を携帯端末１００に送信する。
通信モジュール１６０は、通信制御モジュール１６５と接続されている。通信モジュール１６０は、携帯端末１００との間で通信（可視光通信以外の通信）を行う。通信モジュール１６０は、携帯端末１００から通信によって印刷指示を受信する。その印刷指示を通信制御モジュール１６５に渡す。
【００５３】
通信制御モジュール１６５は、可視光通信モジュール１５５、通信モジュール１６０、ユーザーインタフェースモジュール１７０、印刷制御モジュール１７５、ファイル記憶モジュール１８０と接続されている。通信制御モジュール１６５は、可視光通信によって、「印刷装置１５０を特定するための情報」を携帯端末１００に送信するように可視光通信モジュール１５５を制御する。そして、通信モジュール１６０を介して、携帯端末１００からの印刷指示を受信する。
また、通信制御モジュール１６５は、複数回、「印刷装置１５０を特定するための情報」を送信するようにしてもよい。印刷指示のヘッダ部分を受信できずに、可視光通信による受信が始まることがあるからである。つまり、可視光を携帯端末１００の可視光センサーに当てる前に、可視光通信を始めてしまうことがあり得るからである。
また、印刷装置１５０が「印刷装置１５０を特定するための情報」を複数回送信した場合は、携帯端末１００の通信制御モジュール１１５は、前回受信したものと同じであるか否かを判断し、同じである場合は、その受信を破棄するようにしてもよい。
【００５４】
また、印刷装置１５０は、人の所在を検知する人感センサーを有していてもよい。人感センサーが人の所在を検知した場合、通信制御モジュール１６５は、可視光通信モジュール１５５に、可視光通信を開始するように制御してもよい。ここで「人の所在を検知する」には、人が近づくことを検知することを含む。例えば、人感センサーは、赤外線、超音波、可視光等が用いられる。また、これらの組み合わせ、例えば、赤外線と超音波との組み合わせを用いてもよいし、赤外線等のみであってもよい。
また、通信制御モジュール１６５は、携帯端末１００から可視光通信によって、印刷装置１５０を特定するための情報の送信指示を受信した場合、印刷装置１５０は可視光通信を開始するように可視光通信モジュール１５５を制御してもよい。
また、通信制御モジュール１６５は、通信モジュール１６０が印刷指示を受信した場合、可視光通信のための発光を停止するように可視光通信モジュール１５５を制御してもよい。「印刷装置１５０を特定するための情報」の余分な送信を停止するためである。ここで「通信モジュール１６０が印刷指示を受信した場合」とは、印刷指示であるデータ全ての受信を完了した場合であってもよいし、印刷指示を受信したことが判明した時点であってもよい。
【００５５】
また、通信制御モジュール１６５は、可視光通信モジュール１５５を制御して、可視光通信によって、印刷装置１５０の特性又は状態を送信するようにしてもよい。印刷装置１５０の特性として、例えば、使用可能な用紙サイズ、解像度、カラー又は白黒の指定可能性、片面又は両面の指定可能性等がある。印刷装置１５０の状態として、例えば、プリント可能、故障、用紙切れ等がある。
また、通信制御モジュール１６５は、印刷指示とともに、「可視光通信によって印刷装置１５０を特定するための情報を受信したことによって通信を行っていることを示す情報」を受信した場合に、その印刷指示にしたがって印刷するように制御してもよい。可視光通信を経て印刷指示を受け付けた場合と、可視光通信を経ずに印刷指示を受け付けた場合とを区別するためである。なお、受信しなかった場合は、受信するまで待機する等の制御をすることとなる。
【００５６】
ユーザーインタフェースモジュール１７０は、通信制御モジュール１６５、印刷制御モジュール１７５と接続されている。ユーザーインタフェースモジュール１７０は、タッチスクリーン、音声、視線、ジェスチャ、マウス、キーボード等を用いたユーザーの操作を受け付ける。また、ユーザーインタフェースモジュール１７０は、液晶ディスプレイ、スピーカー、振動装置等によって、情報をユーザーに知らせる。
印刷制御モジュール１７５は、通信制御モジュール１６５、ユーザーインタフェースモジュール１７０、ファイル記憶モジュール１８０、印刷モジュール１８５と接続されている。印刷制御モジュール１７５は、通信制御モジュール１６５が受信した印刷指示にしたがって、印刷モジュール１８５を用いて印刷処理を行わせる。
ファイル記憶モジュール１８０は、通信制御モジュール１６５、印刷制御モジュール１７５と接続されている。ファイル記憶モジュール１８０は、通信制御モジュール１６５が受信した印刷指示内のファイルを記憶する。
またユーザーインタフェースモジュール１７０は、可視光通信によって送信する場合は、ユーザーが可視光を携帯端末１００に当てる動作の示唆を提示するようにしてもよい。可視光通信によって送信する際に、ユーザーは実施すべき動作がわかりやすくなる。
印刷モジュール１８５は、印刷制御モジュール１７５と接続されている。印刷モジュール１８５は、印刷制御モジュール１７５の制御にしたがって、印刷処理を行う。
【００５７】
図２は、本実施の形態を利用したシステム構成例等を示す説明図である。
図２（ａ）の例に示すように、携帯端末１００と印刷装置１５０間で可視光通信を行う。例えば、携帯端末１００は、印刷装置１５０からの可視光通信による光を受け、「印刷装置１５０を特定するための情報」を受信する。そして、携帯端末１００は、「印刷装置１５０を特定するための情報」を設定して、印刷装置１５０と通信可能の状態にする。前述したように、ここでの可能とする通信は、可視光通信以外の通信である。その通信を用いて、携帯端末１００は、印刷装置１５０に印刷指示を送信する。印刷装置１５０は、携帯端末１００から送信されてきたファイルを印刷する。ユーザーは、印刷済みの用紙を印刷装置１５０から取り出す。
印刷装置１５０の可視光通信装置は、外部（携帯端末１００）から光を当てることができる領域（例えば、前面部分、上面部分）に備えつけられている。
【００５８】
図２（ａ）の例では、携帯端末１００と印刷装置１５０は離れているが、可視光通信が可能であれば密接していてもよい。例えば、図２（ｂ１）に示すように、印刷装置１５０の上面部分に携帯端末１００の携帯端末置場２２０を備えてもよい。
そして、例えば、図２（ｂ２）に示すように、携帯端末置場２２０の上側面に可視光通信装置２２５を備えてもよい。また、携帯端末置場２２０の底面に可視光通信装置２３０を備えてもよい。可視光通信装置２２５は、携帯端末置場２２０の上側面の全面であってもよい。可視光通信装置２３０は、携帯端末置場２２０の底面の全面であってもよい。また、可視光通信装置２２５（可視光通信装置２３０）は、上側面、右側面、左側面、下側面、底面にあってもよいし、それらの全面であってもよい。携帯端末１００の可視光通信装置の位置に合わせて設置すればよい。
さらに、携帯端末置場２２０の全体（上側面、下側面、右側面、左側面、底面）に可視光通信装置２２５（可視光通信装置２３０）を設置してもよい。携帯端末１００がどのように置かれても、又は、どのような機種の携帯端末１００にも対応するためである。
【００５９】
一方、携帯端末１００は、図２（ｂ３）の例に示すように、携帯端末１００の側面に可視光通信装置２５０を備えていてもよい。また、図２（ｂ４）の例に示すように、カメラ２６０の近辺に可視光通信装置２５５を備えていてもよい。この場合、前述したように、可視光通信の通信相手側（印刷装置１５０）をカメラ２６０で撮影して、携帯端末１００のディスプレイに表示することによって、通信相手を確認することができるようになる。また、カメラ２６０は、可視光通信装置（受光センサー、発光装置、又はその組み合わせ）２５５の機能を備えていてもよい。もちろんのことながら、その場合、図２（ｂ４）の例に示すような可視光通信装置２５５は不要となり、カメラ２６０だけでよい。また、携帯端末１００に備え付けられているストロボ、ディスプレイ等を可視光通信における発光装置として利用してもよい。
【００６０】
図３〜５は、本実施の形態による処理例を示すフローチャートである。
印刷装置１５０は以下の処理を行う。なお、ステップＵとして、ユーザーの動作についても説明する。
ステップＰ３０２では、印刷装置１５０本体は低消費電力モードである。印刷装置１５０の可視光通信規格に基づく可視光通信用ＬＥＤライトの発光を停止している。
ステップＵ３０２では、ユーザーの動作として、印刷装置１５０の可視光通信開始用スイッチを押す、又は、印刷装置１５０に接近する。
【００６１】
ステップＰ３０４では、印刷装置１５０の可視光通信開始用スイッチが押された場合、可視光発光モードになり、可視光通信用ＬＥＤライトの発光を開始する。この可視光は、印刷装置１５０のアドレス又は端末名を含む。アドレス又は端末名は、無線通信（ＷｉＦｉ等）で通信先を示す情報である。ステップＰ３０４では、消費電力を少なくするため、可視光通信の必要がある場合（スイッチが押された場合）のみＬＥＤを発光させるようにしてもよい。
ステップＰ３０６では、印刷装置１５０から携帯端末１００への通信として、印刷装置１５０のアドレス又は端末名を含む可視光を発光する。アドレス又は端末名は、ＷｉＦｉ無線通信で通信先を示す情報である。例えば、ＩＰアドレス、メールアドレス又は端末名等が該当する。
【００６２】
ステップＰ３０８では、プリントジョブを受信したか否かを判断し、受信した場合はステップＰ３１６へ進み、それ以外の場合はステップＰ３１０へ進む。プリントジョブの受信とは、受信開始、又は、受信完了を意味する。
ステップＰ３１０では、予め定められた時間（例えば、５分等）が経過したか否かを判断し、経過した場合はステップＰ３１２へ進み、それ以外の場合はステップＰ３０８へ戻る。なお、この「予め定められた時間」は、ステップＳ３０４でのアドレスを送信した時点からの経過時間である。
【００６３】
ステップＰ３１２では、「予め定められた時間が経過したが、プリントジョブを受信しなかった」旨の表示をする。
ステップＰ３１４では、可視光通信用ＬＥＤライトの発光を停止する。ステップＰ３０２に戻る。
ステップＵ３０８では、ユーザーの動作として、印刷装置１５０が「予め定められた時間が経過したが、プリントジョブを受信しなかった」旨の表示をした場合（ステップＰ３１２又はステップＰ３１４）、ユーザーは、このフローの最初からの処理（ステップＰ３０２等）を繰り返す。
【００６４】
ステップＰ３１６では、プリントジョブを受信した場合、可視光通信用ＬＥＤライトの発光を停止する。プリントジョブを受信した場合、発光する必要がなくなるので、消費電力を減らすため、発光を停止する。また、発光を停止することで、携帯端末１００のユーザーに、印刷装置１５０がプリントジョブを受信したことを通知することとなる。したがって、携帯端末１００が「印刷装置１５０のアドレスを受光したことを示す、音／表示／振動」をしない場合でも、ユーザーは、可視光センサーをプリントしたい印刷装置１５０が発光している可視光からはずせることがわかる。印刷装置１５０の可視光通信用ＬＥＤとは別のコンソールパネルに受信完了を表示することを行ってもよいが、可視光通信用ＬＥＤの発光を停止させた方が、ユーザーにとって見やすくなり、また、コンソールパネルへの表示が不要になる。なお、ステップＰ３１４でも「発光を停止する」こととなるが、ステップＰ３１４では「予め定められた時間が経過した後」に発光を停止するが、このステップＰ３１６では「予め定められた時間が経過する前」（一般的には、アドレス等の送信直後）に発光を停止するので、ユーザーにとっても判別は可能である。
【００６５】
ステップＵ３１０では、ユーザーの動作として、印刷装置１５０が可視光通信用ＬＥＤライトの発光を停止したら、ユーザーは、携帯端末１００を移動させて、携帯端末１００の可視光センサーを、プリントしたい印刷装置１５０の発光からはずす。
【００６６】
ステップＰ３１８では、ＷｉＦｉ等でプリントジョブを受信した後の印刷装置１５０本体動作は、通常のＷｉＦｉ経由でプリントジョブを受信した場合と同等の動作である。印刷装置１５０本体の低消費電力モードを解除し、プリントモードにする。プリントジョブにしたがって、プリントする。
ステップＰ３２０では、プリント終了後に、印刷装置１５０本体を低消費電力モードにする。そして、ステップＰ３０２に戻る。
【００６７】
一方、携帯端末１００は以下の処理を行う。
ステップＫ３０２では、ユーザーにより、画像ファイルアイコンが選択される。プリンタの選択操作は入力されない。
ステップＫ３０４では、「可視光通信でアドレス受信開始」アイコンがクリックされたか否かを判断し、クリックされた場合はステップＫ３０６へ進み、それ以外の場合はクリックされるまで待機する。
ステップＫ３０６では、可視光センサーを可視光通信受光モードにする。可視光通信規格に基づいた可視光の受光を開始する。
【００６８】
ステップＵ３０４では、ユーザーの動作として、携帯端末１００の可視光センサーを、プリントしたい印刷装置１５０が発光している可視光に当てる。
ステップＫ３０８では、可視光センサーが、可視光通信規格に基づく可視光を受光したか否かを判断し、受光した場合はステップＫ３１０へ進み、それ以外の場合は受光するまで待機する。
ステップＫ３１０では、受光した可視光には、印刷装置１５０のアドレスが含まれているか否かを判断し、含まれている場合はステップＫ３１２へ進み、それ以外の場合はステップＫ３０８へ戻る。
【００６９】
ステップＫ３１２では、可視光センサーの可視光通信受光モードを解除し、可視光センサーの動作を停止する。
ステップＫ３１４では、印刷装置１５０のアドレスを受光したことを示す、音、表示、振動等を発生する。
ステップＵ３０６では、携帯端末１００が「印刷装置１５０のアドレスを受光したことを示す提示処理」をしたら、ユーザーの動作として、携帯端末１００を移動させて、携帯端末１００の可視光センサーを、プリントしたい印刷装置１５０が発光している可視光からはずすことを行う。
なお、ステップＫ３１４の動作は必須ではない。ステップＫ３１４の動作があると、印刷装置１５０のアドレスの受光完了したことを、ユーザーが知ることができる。そして、ユーザーは、携帯端末１００を印刷装置１５０が発光している可視光からはずすタイミングがわかることとなる。
【００７０】
ステップＫ３１６では、ユーザーによって選択された画像ファイルをプリントするための、プリントジョブを作成する。
ステップＫ３１８では、受信した印刷装置１５０のアドレス宛に、無線通信（ＷｉＦｉ等）を用いて、プリントジョブを送信する。プリントジョブの送信に、ＷｉＦｉ以外の通信を使用してもよい。例えば、Ｂｌｕｅｔｏｏｔｈ等が該当する。
ステップＫ３２０では、携帯端末１００から印刷装置１５０にプリントジョブを送信する。ここでは、無線通信（ＷｉＦｉ等）経由となる。例えば、プリント用プロトコル又はメールを用いてもよい。さらに、プリントジョブに付加的な情報として、ユーザーＩＤ、パスワードを含んでもよい。
【００７１】
ステップＫ３２２では、可視光通信で受信した印刷装置１５０のアドレス又は端末名をメモリから削除する。なお、このステップＫ３２２は、行わなくてもよい。
本実施の形態を用いない場合（従来技術のようにＷｉＦｉのみによる通信を用いた場合）は、予めプリントジョブの送信先である印刷装置１５０のアドレスを携帯端末１００に設定する必要があり、その設定操作はユーザーにとって困難である場合がある。そのため、一度設定した印刷装置１５０のアドレスを不揮発性メモリに記憶し、次回のプリントジョブ送信時に再利用していた。
本実施の形態では、可視光通信によって送信先印刷装置１５０のアドレスを簡単に受信できるので、一度受信した印刷装置１５０のアドレスを記憶し再利用する必要がない。印刷装置１５０のアドレスを削除することにより、携帯端末１００のプリンタ選択リストに不要な印刷装置名が記憶されなくなるので、ユーザーは見やすくなると共に、印刷装置１５０に関する情報の漏洩を防ぐことができる（セキュリティが向上する）。
【００７２】
図６は、本実施の形態（携帯端末１００）による処理例を示す説明図である。具体的には、フローチャートのステップＫ３０２、ステップＫ３０４における表示例である。
携帯端末１００は、ディスプレイ６００を有している。図６の例は、ディスプレイ６００に表示している内容を示している。
ディスプレイ６００は、３つの領域として、画像表示領域６１０、コマンド表示領域６２０、メッセージ表示領域６３０を有している。
画像表示領域６１０には、画像Ａアイコン６１２、画像Ｂアイコン６１４、画像Ｃアイコン６１６、画像Ｄアイコン６１８を表示する。
コマンド表示領域６２０には、「可視光でプリンタアドレスを受光し、ＷｉＦｉで印刷ジョブを送信」アイコン６２２、「可視光でプリンタアドレスを受光し、Ｂｌｕｅｔｏｏｔｈで印刷ジョブを送信」アイコン６２４を表示する。
メッセージ表示領域６３０には、メッセージを表示する。メッセージ表示領域６３０には、例えば「印刷したい画像を選択し、コマンドをクリックしてください。」と表示する。
図６の例では、画像Ａアイコン６１２と画像Ｂアイコン６１４が選択されたことを示している。この後、「可視光でプリンタアドレスを受光し、ＷｉＦｉで印刷ジョブを送信」アイコン６２２又は「可視光でプリンタアドレスを受光し、Ｂｌｕｅｔｏｏｔｈで印刷ジョブを送信」アイコン６２４がクリックされると、フローチャートのステップＫ３０４の「Ｙｅｓ」に移動する。
【００７３】
図７は、本実施の形態（携帯端末１００）による処理例を示す説明図である。具体的には、フローチャートのステップＫ３０６、ステップＵ３０４における表示例である。
「可視光でプリンタアドレスを受光し、ＷｉＦｉで印刷ジョブを送信」アイコン６２２が、ユーザーの選択によって選択されている。
メッセージ表示領域６３０には、例えば「カメラをプリンタが発光している可視光に当ててください。」と表示する。この表示により、ユーザーは実施すべき動作がわかりやすくなる。なお、ここでの「カメラ」は可視光センサーを意味する。ユーザーは、可視光センサーを、プリントしたい印刷装置１５０が発光している可視光に当てる動作を行うこととなる。
【００７４】
図８は、本実施の形態（携帯端末１００）による処理例を示す説明図である。具体的には、フローチャートのステップＫ３０８からステップＫ３１４、ステップＵ３０６における表示例である。
「可視光でプリンタアドレスを受光し、ＷｉＦｉで印刷ジョブを送信」アイコン６２２が、ユーザーの選択によって選択されている。
メッセージ表示領域６３０には、例えば「プリンタのアドレスの受光を完了しました。カメラを可視光に当てることを終了してください。」と表示する。なお、ここでの「カメラ」は可視光センサーを意味する。
印刷装置１５０のアドレスの受光を完了した場合、ユーザーが実施すべき動作を、メッセージ表示領域６３０に表示する。この表示により、ユーザーは実施すべき動作がわかりやすくなる。
【００７５】
図９は、本実施の形態（携帯端末１００）による処理例を示す説明図である。具体的には、フローチャートのステップＫ３１６、ステップＫ３１８における表示例である。
「可視光でプリンタアドレスを受光し、ＷｉＦｉで印刷ジョブを送信」アイコン６２２が、ユーザーの選択によって選択されている。
メッセージ表示領域６３０には、例えば「ＷｉＦｉで印刷ジョブを送信しています。」と表示する。
これらのステップでは、受信した印刷装置１５０のアドレス宛に、無線通信（ＷｉＦｉ等）を用いて、プリントジョブを送信する。「可視光でプリンタアドレスを受光し、Ｂｌｕｅｔｏｏｔｈで印刷ジョブを送信」アイコン６２４が選択された場合、「Ｂｌｕｅｔｏｏｔｈで印刷ジョブを送信しています。」と表示する。
【００７６】
図１０は、本実施の形態（携帯端末１００）による処理例を示す説明図である。具体的には、フローチャートのステップＫ３２２における表示例である。
「可視光でプリンタアドレスを受光し、ＷｉＦｉで印刷ジョブを送信」アイコン６２２が、ユーザーの選択によって選択されている。
メッセージ表示領域６３０には、例えば「印刷ジョブの送信を完了しました。」と表示する。ユーザーは、印刷装置１５０でのプリントアウトを待てばよいことになる。
【００７７】
図１１は、本実施の形態（印刷装置１５０）による処理例を示す説明図である。具体的には、フローチャートのステップＵ３０２、ステップＰ３０４における表示例である。
表示装置１１００は、ディスプレイ１１１０を有している。
ディスプレイ１１１０は、コマンド表示領域１１２０、メッセージ表示領域１１４０を有している。
コマンド表示領域１１２０には、コピーアイコン１１２２、ＦＡＸアイコン１１２４、スキャンアイコン１１２６、ジョブ管理アイコン１１２８、ユーザー管理アイコン１１３０、「可視光でアドレスを発光」アイコン１１３２を表示する。
メッセージ表示領域１１４０には、メッセージを表示する。
「可視光でアドレスを発光」アイコン１１３２が、ユーザーの選択によって選択されている。
メッセージ表示領域１１４０には、例えば「可視光でアドレスを発光中です。携帯端末のカメラを可視光に当ててください。印刷ジョブの受信待ち状態です。」と表示する。
なお、図１１の例は、印刷装置１５０に可視光通信開始用アイコン（「可視光でアドレスを発光」アイコン１１３２に相当）がある場合に、そのアイコンが選択された後の画面を示している。
図１１の例では、印刷装置１５０が可視光通信規格に基づき発光している。ユーザーが実施すべき動作を、メッセージ表示領域１１４０に表示する。この表示により、ユーザーは実施すべき動作がわかりやすくなる。
【００７８】
図１２は、本実施の形態（印刷装置１５０）による処理例を示す説明図である。具体的には、フローチャートのステップＵ３０２、ステップＰ３０４（なお、図１５、図１６の例を用いて後述するステップＰ１５０４、ステップＰ１６０４）における表示例である。つまり、「可視光でアドレスを発光」アイコン１１３２の表示を行わずに、人の接近を検知した場合、携帯端末１００がアドレス発光のための指示を含む発光を行い、それを印刷装置１５０が受光した場合における表示例である。
コマンド表示領域１１２０には、コピーアイコン１１２２、ＦＡＸアイコン１１２４、スキャンアイコン１１２６、ジョブ管理アイコン１１２８、ユーザー管理アイコン１１３０を表示する。
メッセージ表示領域１１４０には、例えば「可視光でアドレスを発光中です。携帯端末のカメラを可視光に当ててください。印刷ジョブの受信待ち状態です。」と表示する。
印刷装置１５０の可視光通信開始の指示が不要の場合や、常に発光している場合は、「可視光でアドレスを発光」アイコン１１３２を表示していない。印刷装置１５０が可視光通信規格に基づき発光している場合、ユーザーが実施すべき動作を、メッセージ表示領域１１４０に表示する。この表示により、ユーザーは実施すべき動作がわかりやすくなる。
【００７９】
図１３は、本実施の形態（印刷装置１５０）による処理例を示す説明図である。具体的には、フローチャートのステップＰ３１６における表示例である。
メッセージ表示領域１１４０には、例えば「印刷ジョブの受信を完了しました。携帯端末のカメラを可視光に当てることを終了してください。」と表示する。
印刷ジョブの受信を完了した場合、可視光通信用ＬＥＤライトの発光を停止する。
なお、「可視光でアドレスを発光」アイコン１１３２を表示している場合、そのアイコンを選択された状態から元の状態（選択されていない状態）に戻す。
ユーザーが実施すべき動作を、メッセージ表示領域１１４０に表示する。この表示により、ユーザーは実施すべき動作がわかりやすくなる。
【００８０】
図１４は、本実施の形態（印刷装置１５０）による処理例を示す説明図である。具体的には、フローチャートのステップＰ３１８における表示例である。
メッセージ表示領域１１４０には、例えば「ジョブを印刷しています。」と表示する。プリントジョブにしたがって印刷中であることを示している。なお、そのプリントジョブの印刷を完了した場合、「ジョブの印刷を完了しました。」と表示する。
【００８１】
図１５は、本実施の形態による処理例を示すフローチャートである。
図３に例示のフローチャートのステップＰ３０４を図１５に例示のステップＰ１５０４に入れ替えてもよい。
ステップＰ１５０４では、印刷装置１５０が人の接近を検知した場合、可視光発光モードになり、可視光通信用ＬＥＤライトの発光を開始する。この可視光は、印刷装置１５０のアドレス又は端末名を含む。アドレス又は端末名は、無線通信（ＷｉＦｉ等）で通信先を示す情報である。この場合、図３に例示した人のスイッチ操作が不要になる。
また、ステップＰ１５０４では、消費電力を少なくするため、可視光通信の必要がある場合（人が接近した場合）のみ可視光通信用ＬＥＤライトを発光させるようにしてもよい。
【００８２】
図１６は、本実施の形態による処理例を示すフローチャートである。
図３に例示のフローチャートのステップＰ３０４を図１６に例示のステップＰ１６０４に入れ替えてもよい。
携帯端末１００から印刷装置１５０の可視光受光部にアドレス発光のための指示を含む可視光を受光した場合、可視光発光モードになり、可視光通信用ＬＥＤライトの発光を開始する。この可視光は、印刷装置１５０のアドレス又は端末名を含む。アドレス又は端末名は、無線通信（ＷｉＦｉ等）で通信先を示す情報である。この場合、図３に例示した人のスイッチ操作が不要になる。また、図１５に例示した人が接近することも不要になる。印刷装置１５０と離れた場所から、図３〜５に例示した処理を実施できる（プリントジョブを送信できる）。
また、ステップＰ１６０４では、消費電力を少なくするため、可視光通信の必要がある場合（アドレス発光のための指示を含む可視光を受光した場合）のみ可視光通信用ＬＥＤライトを発光させるようにしてもよい。
【００８３】
図１７は、本実施の形態による処理例を示すフローチャートである。
図３に例示のフローチャートのステップＰ３０２、Ｐ３０４を図１７に例示のステップＰ１７０２に入れ替えてもよい。
ステップＰ１７０２では、可視光通信用ＬＥＤライトは、常に発光させる。この可視光は、印刷装置１５０のアドレス又は端末名を含む。
この場合、人のスイッチ操作が不要になる、印刷装置１５０に人が接近しなくてもプリントジョブを送信可能になる、又は、携帯端末１００からアドレス発光のための指示を含む可視光の発光処理が不要になる。ステップＰ３０２、Ｐ３０４等の場合に比べて、消費電力が増えるが、許容できる範囲である。
【００８４】
図１８は、本実施の形態による処理例を示すフローチャートである。
図３に例示のフローチャートのステップＫ３０４、Ｋ３０６を図１８に例示のステップＫ１８０４に入れ替えてもよい。
ステップＫ３０４、ステップＫ３０６は、「可視光通信でアドレス受信開始」アイコンがクリックされた後に、可視光受光を開始する場合のフローである。
一方、このステップＫ１８０４では、常に可視光センサーを動作させて、可視光通信を受光させる。受光は、発光に比較して電力使用が少ないためである。この場合、「可視光通信でアドレス受信開始」アイコン（具体的には、図６等に例示した「可視光でプリンタアドレスを受光し、ＷｉＦｉで印刷ジョブを送信」アイコン６２２又は「可視光でプリンタアドレスを受光し、Ｂｌｕｅｔｏｏｔｈで印刷ジョブを送信」アイコン６２４）がクリックされるのを待つことが不要になる。つまり、ユーザーの「可視光通信でアドレス受信開始」アイコンの「クリック」動作が不要になる。ユーザーは、画像ファイルアイコンを選択し、印刷装置１５０が発光している可視光を携帯端末１００で受光するだけで、選択した画像ファイルをプリントすることができる。
【００８５】
図１９は、本実施の形態による処理例を示すフローチャートである。
図３に例示のフローチャートのステップＰ３０６を図１９に例示のステップＰ１９０６に入れ替えてもよい。
ステップＰ１９０６では、印刷装置１５０が携帯端末１００に、印刷装置１５０のアドレス又は端末名を含む可視光を発光する。アドレス又は端末名は、ＷｉＦｉ無線通信で通信先を示す情報である。例えば、ＩＰアドレス、メールアドレス又は端末名等が該当する。さらに、可視光には、印刷装置１５０のプリント特性（使用可能な用紙サイズ、解像度、カラー／白黒、片面／両面等）や状態（プリント可能、故障等）を含めるようにしてもよい。
【００８６】
図２０は、本実施の形態による処理例を示すフローチャートである。
図４に例示のフローチャートのステップＫ３１２を図２０に例示のステップＫ２０１２に入れ替えてもよい。
ステップＫ２０１２では、常に可視光センサーを動作させる。
この場合、ステップＫ３１２の、「センサーの動作を停止する」動作が不要になる。
【００８７】
図２１は、本実施の形態による処理例を示すフローチャートである。
図４に例示のフローチャートのステップＫ３１６を図２１に例示のステップＫ２１１６に入れ替えてもよい。
ステップＫ２１１６では、ステップＰ１９０６で、可視光が、印刷装置１５０のプリント特性（使用可能な用紙サイズ、解像度等）を含んでいる場合、そのプリント特性に合わせた画像処理等（例えば、用紙の選択指示、画像の拡大縮小、カラー画像から白黒への変換処理等）を行い、プリントジョブを作成する。
【００８８】
図２２は、本実施の形態による処理例を示すフローチャートである。
図４に例示のフローチャートのステップＫ３２０を図２２に例示のステップＫ２２２０、図４に例示のフローチャートのステップＰ３０８を図２２に例示のステップＰ２２０８に入れ替えてもよい。
ステップＫ２２２０では、携帯端末１００から印刷装置１５０への通信として、この可視光通信フローに基づくプリントジョブであることを示す情報（「可視光通信によって印刷装置１５０を特定するための情報を受信したことによって通信（ステップＫ２２２０の通信）を行っていることを示す情報」）を含める。
ステップＰ２２０８では、可視光通信フローに基づくプリントジョブを受信したかを判断し、受信した場合はステップＰ３１６へ進み、それ以外の場合はステップＰ３１０へ進む。
ステップＰ３１０では、予め定められた時間（例えば、５分等）が経過したか否かを判断し、経過した場合はステップＰ３１２へ進み、それ以外の場合はステップＰ２２０８へ戻る。
【００８９】
ステップＰ２２０８の処理を行わない場合、この可視光通信フローと無関係なプリントジョブをＷｉＦｉ等で受信した場合でも、印刷装置１５０は発光を停止してしまい、このフローを終了してしまうので、ユーザーは再度このフローを開始しなければならないこととなってしまう。
ステップＰ２２０８の処理を行う場合、この可視光通信フローを経ない無関係なプリントジョブを受信しても、フローを終了しない。印刷装置１５０は、可視光通信フローに基づくプリントジョブを受信するまで待つ。したがって、ユーザーの期待通りに動作することとなる。なお、待機している間に、この可視光通信フローを経ない無関係なプリントジョブにしたがって、プリントを行うようにしてもよい。
【００９０】
図２３を参照して、本実施の形態の携帯端末１００、印刷装置１５０のハードウェア構成例について説明する。図２３に示す構成は、例えばパーソナルコンピュータ（ＰＣ）等によって構成されるものであり、スキャナ等のデータ読み取り部２３１７と、プリンタ等のデータ出力部２３１８を備えたハードウェア構成例を示している。なお、携帯端末１００では、データ読み取り部２３１７と、データ出力部２３１８を不要としてもよい。
【００９１】
ＣＰＵ（Ｃｅｎｔｒａｌ  Ｐｒｏｃｅｓｓｉｎｇ  Ｕｎｉｔ）２３０１は、前述の実施の形態において説明した各種のモジュール、すなわち、可視光通信モジュール１０５、通信モジュール１１０、通信制御モジュール１１５、ユーザーインタフェースモジュール１２０、可視光通信モジュール１５５、通信モジュール１６０、通信制御モジュール１６５、ユーザーインタフェースモジュール１７０、印刷制御モジュール１７５、印刷モジュール１８５等の各モジュールの実行シーケンスを記述したコンピュータ・プログラムにしたがった処理を実行する制御部である。
【００９２】
ＲＯＭ（Ｒｅａｄ  Ｏｎｌｙ  Ｍｅｍｏｒｙ）２３０２は、ＣＰＵ２３０１が使用するプログラムや演算パラメータ等を格納する。ＲＡＭ（Ｒａｎｄｏｍ  Ａｃｃｅｓｓ  Ｍｅｍｏｒｙ）２３０３は、ＣＰＵ２３０１の実行において使用するプログラムや、その実行において適宜変化するパラメータ等を格納する。これらはＣＰＵバス等から構成されるホストバス２３０４により相互に接続されている。
【００９３】
ホストバス２３０４は、ブリッジ２３０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス２３０６に接続されている。
【００９４】
キーボード２３０８、マウス等のポインティングデバイス２３０９は、操作者により操作されるデバイスである。ディスプレイ２３１０は、液晶表示装置又はＣＲＴ（Ｃａｔｈｏｄｅ  Ｒａｙ  Ｔｕｂｅ）等があり、各種情報をテキストやイメージ情報として表示する。また、ポインティングデバイス２３０９とディスプレイ２３１０の両方の機能を備えているタッチスクリーン等であってもよい。
【００９５】
ＨＤＤ（Ｈａｒｄ  Ｄｉｓｋ  Ｄｒｉｖｅ）２３１１は、ハードディスク（フラッシュメモリ等であってもよい）を内蔵し、ハードディスクを駆動し、ＣＰＵ２３０１によって実行するプログラムや情報を記録又は再生させる。ハードディスクは、ファイル記憶モジュール１２５、ファイル記憶モジュール１８０等としての機能を実現させる。さらに、その他の各種データ、各種コンピュータ・プログラム等が格納される。
【００９６】
ドライブ２３１２は、装着されている磁気ディスク、光ディスク、光磁気ディスク、又は半導体メモリ等のリムーバブル記録媒体２３１３に記録されているデータ又はプログラムを読み出して、そのデータ又はプログラムを、インタフェース２３０７、外部バス２３０６、ブリッジ２３０５、及びホストバス２３０４を介して接続されているＲＡＭ２３０３に供給する。なお、リムーバブル記録媒体２３１３も、データ記録領域として利用可能である。
【００９７】
接続ポート２３１４は、外部接続機器２３１５を接続するポートであり、ＵＳＢ、ＩＥＥＥ１３９４等の接続部を持つ。接続ポート２３１４は、インタフェース２３０７、及び外部バス２３０６、ブリッジ２３０５、ホストバス２３０４等を介してＣＰＵ２３０１等に接続されている。通信部２３１６は、通信回線に接続され、外部とのデータ通信処理を実行する。ここでの通信として、前述したように、可視光通信、可視光通信以外の無線通信等が含まれる。データ読み取り部２３１７は、例えばスキャナであり、ドキュメントの読み取り処理を実行する。データ出力部２３１８は、例えばプリンタであり、ドキュメントデータの出力処理を実行する。
【００９８】
なお、図２３に示す携帯端末１００、印刷装置１５０のハードウェア構成は、１つの構成例を示すものであり、本実施の形態は、図２３に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図２３に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンタ、複合機（スキャナ、プリンタ、複写機、ファックス等のいずれか２つ以上の機能を有している画像処理装置）などに組み込まれていてもよい。
【００９９】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分又は全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【０１００】
なお、本実施の形態の可視光通信で使用する可視光は、天井の照明のような拡散した可視光でもよく、また、懐中電灯のような収束した可視光でもよい。収束した可視光を使用する場合、拡散した可視光を使用する場合と比較して、希望する送信先だけに可視光を当てることが容易になり、ユーザーが使いやすくなる。
【０１０１】
前述の実施の形態は以下のように把握してもよい。
［Ａ］第２の通信の送信先として画像出力装置を特定するための情報を、可視光通信によって受信する受信手段と、
前記情報にしたがって、前記第２の通信によって印刷指示を前記画像出力装置に送信する送信手段
を有する携帯情報処理装置。
【０１０２】
［Ｂ］第２の通信の送信先として本画像出力装置を特定するための情報を、可視光通信によって送信する送信手段と、
携帯情報処理装置から、前記情報にしたがった前記第２の通信によって印刷指示を受信する受信手段
を有する画像出力装置。
【０１０３】
［Ｃ］第２の通信の送信先として画像出力装置を特定するための情報を、可視光通信によって受信する第１の受信手段と、
前記情報にしたがって、前記第２の通信によって印刷指示を前記画像出力装置に送信する第１の送信手段
を有する携帯情報処理装置と、
前記第２の通信の送信先として本画像出力装置を特定するための情報を、可視光通信によって送信する第２の送信手段と、
前記携帯情報処理装置から、前記情報にしたがった前記第２の通信によって印刷指示を受信する第２の受信手段
を有する画像出力装置
を具備する画像出力システム。
【０１０４】
［Ｄ］前記送信手段は、
前記印刷指示の送信先である前記画像出力装置を選択する操作を受け付けることなく、該印刷指示を前記画像出力装置に送信する、
［Ａ］に記載の携帯情報処理装置。
【０１０５】
［Ｅ］人の所在を検知する検知手段
をさらに有し、
人の所在を検知した場合、前記送信手段は可視光通信を開始する、
［Ｂ］に記載の画像出力装置。
【０１０６】
［Ｆ］前記携帯情報処理装置から可視光通信によって、本画像出力装置を特定するための情報の送信指示を受信した場合、前記送信手段は可視光通信を開始する、
［Ｂ］に記載の画像出力装置。
【０１０７】
［Ｇ］前記受信手段が印刷指示を受信した場合、前記送信手段は、可視光通信のための発光を停止する、
［Ｂ］、［Ｅ］、［Ｆ］のいずれか一項に記載の画像出力装置。
【０１０８】
［Ｈ］前記受信手段は、前記情報を受信した場合は、可視光通信の受信を停止する、
［Ａ］又は［Ｄ］に記載の携帯情報処理装置。
【０１０９】
［Ｉ］前記送信手段は、可視光通信によって、本画像出力装置の特性又は状態を送信する、
［Ｂ］、［Ｅ］、［Ｆ］、［Ｇ］のいずれか一項に記載の画像出力装置。
【０１１０】
［Ｊ］前記受信手段が、可視光通信によって、［Ｉ］記載の画像出力装置から該画像出力装置の特性又は状態を受信した場合、該特性又は状態にしたがって、前記印刷指示を生成する生成手段
をさらに有し、
前記送信手段は、前記生成手段によって生成された前記印刷指示を送信する、
［Ａ］、［Ｄ］、［Ｈ］のいずれか一項に記載の携帯情報処理装置。
【０１１１】
［Ｋ］前記送信手段は、可視光通信によって前記画像出力装置を特定するための情報を受信したことによって前記通信を行っていることを示す情報を前記印刷指示とともに送信する、
［Ａ］、［Ｄ］、［Ｈ］、［Ｊ］のいずれか一項に記載の携帯情報処理装置。
【０１１２】
［Ｌ］前記印刷指示とともに、可視光通信によって画像出力装置を特定するための情報を受信したことによって前記通信を行っていることを示す情報を受信した場合に、該印刷指示にしたがって印刷するように制御する制御手段
をさらに有する［Ｂ］、［Ｅ］、［Ｆ］、［Ｇ］、［Ｉ］のいずれか一項に記載の画像出力装置。
【０１１３】
［Ｍ］前記可視光通信によって画像出力装置を特定するための情報を受信している場合は、ユーザーが可視光を携帯情報処理装置に当てる動作の示唆を提示する提示手段
をさらに有する［Ａ］、［Ｄ］、［Ｈ］、［Ｊ］、［Ｋ］のいずれか一項に記載の携帯情報処理装置。
【０１１４】
［Ｎ］前記可視光通信によって送信する場合は、ユーザーが可視光を携帯情報処理装置に当てる動作の示唆を提示する提示手段
をさらに有する［Ｂ］、［Ｅ］、［Ｆ］、［Ｇ］、［Ｉ］、［Ｌ］のいずれか一項に記載の画像出力装置。
【０１１５】
［Ｏ］コンピュータを、
第２の通信の送信先として画像出力装置を特定するための情報を、可視光通信によって受信する受信手段と、
前記情報にしたがって、前記第２の通信によって印刷指示を前記画像出力装置に送信する送信手段
として機能させるための情報処理プログラム。
【０１１６】
［Ｐ］画像出力装置に含まれているコンピュータを、
第２の通信の送信先として本画像出力装置を特定するための情報を、可視光通信によって送信する送信手段と、
携帯情報処理装置から、前記情報にしたがった前記第２の通信によって印刷指示を受信する受信手段
として機能させるための画像処理プログラム。
【０１１７】
そして、前述の発明は、以下の効果を有する。
［Ａ］の携帯情報処理装置によれば、可視光通信によって、画像出力装置を特定するための情報を受信することができる。
【０１１８】
［Ｂ］の画像出力装置によれば、可視光通信によって、本画像出力装置と通信を行うための画像出力装置を特定するための情報を送信することができる。
【０１１９】
［Ｃ］の画像出力システムによれば、可視光通信によって、画像出力装置を特定するための情報を送受信することができる。
【０１２０】
［Ｄ］の携帯情報処理装置によれば、画像出力装置を選択する操作を受け付けることなく、印刷指示を画像出力装置に送信することができる。
【０１２１】
［Ｅ］の画像出力装置によれば、人の所在を検知した場合、可視光通信を開始することができる。
【０１２２】
［Ｆ］の画像出力装置によれば、携帯情報処理装置から可視光通信によって、本画像出力装置を特定するための情報の送信指示を受信した場合、可視光通信を開始することができる。
【０１２３】
［Ｇ］の画像出力装置によれば、印刷指示を受信した場合、可視光通信のための発光を停止することができる。
【０１２４】
［Ｈ］の携帯情報処理装置によれば、情報を受信した場合は、可視光通信の受信を停止することができる。
【０１２５】
［Ｉ］の画像出力装置によれば、可視光通信によって、本画像出力装置の特性又は状態を送信することができる。
【０１２６】
［Ｊ］の携帯情報処理装置によれば、画像出力装置の特性又は状態にしたがって、印刷指示を生成することができる。
【０１２７】
［Ｋ］の携帯情報処理装置によれば、可視光通信によって画像出力装置を特定するための情報を受信したことによって通信を行っていることを示す情報を印刷指示とともに送信することができる。
【０１２８】
［Ｌ］の画像出力装置によれば、印刷指示とともに、可視光通信によって画像出力装置を特定するための情報を受信したことによって通信を行っていることを示す情報を受信した場合に、その印刷指示にしたがって印刷するように制御することができる。
【０１２９】
［Ｍ］の携帯情報処理装置によれば、可視光通信によって画像出力装置を特定するための情報を受信する際に、ユーザーは実施すべき動作がわかりやすくなる。
【０１３０】
［Ｎ］の画像出力装置によれば、可視光通信によって送信する際に、ユーザーは実施すべき動作がわかりやすくなる。
【０１３１】
［Ｏ］の情報処理プログラムによれば、可視光通信によって、画像出力装置を特定するための情報を受信することができる。
【０１３２】
［Ｐ］の画像処理プログラムによれば、可視光通信によって、画像出力装置と通信を行うための画像出力装置を特定するための情報を送信することができる。
【符号の説明】
【０１３３】
１００…携帯端末
１０５…可視光通信モジュール
１１０…通信モジュール
１１５…通信制御モジュール
１２０…ユーザーインタフェースモジュール
１２５…ファイル記憶モジュール
１５０…印刷装置
１５５…可視光通信モジュール
１６０…通信モジュール
１６５…通信制御モジュール
１７０…ユーザーインタフェースモジュール
１７５…印刷制御モジュール
１８０…ファイル記憶モジュール
１８５…印刷モジュール
２２０…携帯端末置場
２２５、２３０、２５０、２５５…可視光通信装置
２６０…カメラ
【要約】
【課題】可視光通信によって、画像出力装置を特定するための情報を、携帯情報処理装置に送信するようにした画像出力装置を提供する。
【解決手段】画像出力装置の送信手段は、第２の通信の送信先として本画像出力装置を特定するための情報を、可視光通信によって送信し、受信手段は、携帯情報処理装置から、前記情報にしたがった前記第２の通信によって印刷指示を受信し、提示手段は、予め定められた時間内に前記印刷指示を受信しなかった場合、前記可視光通信の動作を停止させ、印刷指示を受けなかった旨を提示する。
【選択図】図１【図１】
0006037077.tif 000002
【図２】
0006037077.tif 000003
【図３】
0006037077.tif 000004
【図４】
0006037077.tif 000005
【図５】
0006037077.tif 000006
【図６】
0006037077.tif 000007
【図７】
0006037077.tif 000008
【図８】
0006037077.tif 000009
【図９】
0006037077.tif 000010
【図１０】
0006037077.tif 000011
【図１１】
0006037077.tif 000012
【図１２】
0006037077.tif 000013
【図１３】
0006037077.tif 000014
【図１４】
0006037077.tif 000015
【図１５】
0006037077.tif 000016
【図１６】
0006037077.tif 000017
【図１７】
0006037077.tif 000018
【図１８】
0006037077.tif 000019
【図１９】
0006037077.tif 000020
【図２０】
0006037077.tif 000021
【図２１】
0006037077.tif 000022
【図２２】
0006037077.tif 000023
【図２３】
0006037077.tif 000024